(57)【要約】【課題】電池電圧が所定の電圧値になったことを検出し、未送信の画像データを保存して電源再投入時に未送信データ送信することにより、取りこぼし無く画像データを送信可能とした撮像装置を提供する。【解決手段】デジタルカメラ１００は、まず電池電圧を検出し（Ｓ１）、規定電圧以下であれば、不揮発性の内蔵メモリに画像データを記録後（Ｓ９）、ネットワークを切断して（Ｓ１０）送信できなかったことを表示装置に出力後、電源を切断する（Ｓ１１）。ステップＳ１で規定電圧を超えていた場合、ネットワークに接続されていなければ（Ｓ２でＮＯのルート）、無線ＬＡＮカードを介しネットッワークに接続し（Ｓ３）、あらかじめユーザーがカメラに設定しておいた指定先のサーバーへ転送するが、１枚画像データを送信する前に、電池電圧が規定電圧であるかどうかを調べ（Ｓ４）、電池規定電圧を超えていれば、画像を送信する（Ｓ５）。また、画像送信中も電池電圧を監視しつづけ（Ｓ６）、すべての画像を送信したら、すべての画像を送信したことを画面に表示する。【選択図】      図３
2005020452.tif 000002
【特許請求の範囲】
【請求項１】
外部機器と無線通信する通信手段を備え、且つ電池を電源とする撮像装置であって、
前記電池の出力電圧を検出する電池電圧検出手段を備え、前記通信手段によりファイルを送信中に、前記電池電圧検出手段により前記電池の出力電圧が所定の電圧以下であることを検出した場合、前記通信手段によるファイル送信を中断して未送信の画像データを記憶装置に保存後、前記電源を切断し、前記電源が再投入された際に前記記憶装置に保存された未送信の画像データを送信することを特徴とする撮像装置。
【請求項２】
外部機器と無線通信する通信手段を備え、且つ電池を電源とする撮像装置であって、
前記通信手段によりファイルを送信中に、前記電池電圧検出手段により前記電池の出力電圧が所定の電圧以下であることを検出した場合、前記通信手段によるファイル送信を中断して未送信の画像データのテーブルデータを前記記憶装置の所定のアドレスに保存後、前記電源を切断し、前記電源が再投入された際に前記記憶装置の所定のアドレスのテーブルデータを参照して前記未送信の画像データを送信することを特徴とする撮像装置。
【請求項３】
前記通信手段によりファイルを送信中に、前記電池電圧検出手段により前記電池の出力電圧が所定の電圧以下であることを検出した場合、前記通信手段によるファイル送信を中断して未送信の画像データ若しくはテーブルデータを前記記憶装置に保存後、送信済みの画像データ枚数、若しくは未送信の画像データ枚数を表示装置に表示後、前記電源を切断することを特徴とする請求項１又は２に記載の撮像装置。
【請求項４】
前記電源が再投入された際、再送信する未送信画像データの枚数を前記表示装置に表示することを特徴とする請求項１又は２に記載の撮像装置。
【請求項５】
前記電源が再投入された際、前記未送信の画像データが存在して前記通信手段により前記未送信の画像データを送信する際、前記通信手段が通信不可能状態の場合、前記通信手段による送信を保留し、前記通信手段が通信可能状態になったときに再度前記未送信画像データを送信することを特徴とする請求項１乃至４の何れか一項に記載の撮像装置。
【発明の詳細な説明】
【０００１】
【発明の属する技術分野】
本発明は、撮像装置に関し、さらに詳しくは、通信機能を備えた撮像装置において、ファイル送信中の電池電圧の降下による画像データの消失を防止する方法に関するものである。
【０００２】
【従来の技術】
撮像装置、特にデジタルカメラにおいては、携帯性に重点を置くために、小型で且つ軽量であることが必須条件である。そのような条件を満たすために電源として使用される電池は、可能な限り小型・軽量であることが望まれる。また、通信機能を備えたデジタルカメラにおいて通信を行なおうとすると、かなりの消費電力を必要とするため、電池のような限られた容量の電源では、通信中に電池電圧が降下して、最後まで画像データが送信できないと言った問題があった。そのような課題を解決するために特開２００２−２０９１２８公報には、静止画像データを記録メディアに記録している最中に電池電圧が記録不可能な電圧まで降下してしまい、静止画像データを記録メディアに記録できなくなるのを防ぎ、かつ電池に残ったエネルギーを有効に使うために、電池電圧に基づいて記録可能枚数を段階的に制限するようにした技術が開示されている。
【特許文献１】特開２００２−２０９１２８公報
【０００３】
【発明が解決しようとする課題】
しかしながら、特許文献１に開示されている従来技術は、通信状態によってデータ送信にかかる時間が異なるため、予め電池電圧に基づいて送信可能枚数を制限しても、通信速度が落ちて通信時間が長くなってしまった場合には、送信中に電池電圧が通信不可能な状態なってしまい、データをすべて送信できなくなるといった問題がある。
本発明は、かかる課題に鑑み、電池電圧が所定の電圧値になったことを検出し、未送信の画像データを保存して電源再投入時に未送信データ送信することにより、取りこぼし無く画像データを送信可能とした撮像装置を提供することを目的する。
【０００４】
【課題を解決するための手段】
本発明はかかる課題を解決するために、請求項１は、外部機器と無線通信する通信手段を備え、且つ電池を電源とする撮像装置であって、前記電池の出力電圧を検出する電池電圧検出手段を備え、前記通信手段によりファイルを送信中に、前記電池電圧検出手段により前記電池の出力電圧が所定の電圧以下であることを検出した場合、前記通信手段によるファイル送信を中断して未送信の画像データを記憶装置に保存後、前記電源を切断し、前記電源が再投入された際に前記記憶装置に保存された未送信の画像データを送信することを特徴とする。
通信機能付の撮像装置において、画像を送信中に電源の電池電圧が所定の値以下に低下した場合、送信を継続することができない。そのような場合従来では、送信済みの画像データは無効にせざるを得なかった。そこで本発明では、前記のような状況が発生した場合、未送信の画像データを記憶装置に保存して、電池を交換後、電源が再投入された際に、記憶装置に保存されている未送信画像データを送信するものである。
かかる発明によれば、画像を送信中に電源の電池電圧が所定の値以下に低下した場合、未送信の画像データを記憶装置に保存して、電池を交換後、電源が再投入された際に、記憶装置に保存されている未送信画像データを送信するので、送信すべき画像データを取りこぼしなく全て送信することができる。
請求項２は、外部機器と無線通信する通信手段を備え、且つ電池を電源とする撮像装置であって、前記通信手段によりファイルを送信中に、前記電池電圧検出手段により前記電池の出力電圧が所定の電圧以下であることを検出した場合、前記通信手段によるファイル送信を中断して未送信の画像データのテーブルデータを前記記憶装置の所定のアドレスに保存後、前記電源を切断し、前記電源が再投入された際に前記記憶装置の所定のアドレスのテーブルデータを参照して前記未送信の画像データを送信することを特徴とする。
請求項１では、画像を送信中に電源の電池電圧が所定の値以下に低下した場合、未送信の画像データを記憶装置に保存したが、本発明では画像データの代わりに、予め記憶装置に記憶されている画像データのテーブルデータを決められたアドレスに記憶するものである。そして、未送信画像データを送信する場合は、そのテーブルデータを参照しながら送信する。
かかる発明によれば、未送信画像データを送信する場合に、データテーブルを参照して送信するので、確実に必要な画像データのみを効率良く送信することができる。
【０００５】
請求項３は、前記通信手段によりファイルを送信中に、前記電池電圧検出手段により前記電池の出力電圧が所定の電圧以下であることを検出した場合、前記通信手段によるファイル送信を中断して未送信の画像データ若しくはテーブルデータを前記記憶装置に保存後、送信済みの画像データ枚数、若しくは未送信の画像データ枚数を表示装置に表示後、前記電源を切断することを特徴とする。
通信手段によりファイルを送信中に、電池の出力電圧が所定の電圧以下であることを検出した場合、画像データ若しくはテーブルデータを記憶して電源を切断するが、操作者に対して送信済みと未送信の画像データがそれぞれ何枚ずつあるかを知らせておくことが好ましい。例えば、未送信画像データが少なければ、あえてそのデータを再送信しなくともよい場合もある。そのように操作者に予め送信状態を知らせておけば無駄な送信を無くすことができる。
かかる発明によれば、電源を切断する前に表示手段により送信済みと未送信の画像データ枚数を表示するので、操作性を向上させると共に、利便性を高めることができる。
請求項４は、前記電源が再投入された際、再送信する未送信画像データの枚数を前記表示装置に表示することを特徴とする。
請求項３では、電源を切断する前に表示手段により送信済みと未送信の画像データ枚数を表示したが、電源を再投入するまで時間が経過すると、その内容を忘れてしまう場合がある。そこで本発明では、電源を再投入したときにもう一度再送信する未送信画像データの枚数を表示するものである。
かかる発明によれば、電源を再投入したときにもう一度再送信する未送信画像データの枚数を表示するので、未送信画像データの有無を再確認することができる。
請求項５は、前記電源が再投入された際、前記未送信の画像データが存在して前記通信手段により前記未送信の画像データを送信する際、前記通信手段が通信不可能状態の場合、前記通信手段による送信を保留し、前記通信手段が通信可能状態になったときに再度前記未送信画像データを送信することを特徴とする。
電源を再投入して未送信画像データを送信しようとした時、何らかの原因で送信が不可能な場合、一旦、送信が可能になるまで送信を保留し、送信可能状態になったときに再度未送信画像データを送信する。
かかる発明によれば、未送信画像データが存在して、送信をしようとしたときに、送信手段が送信不可能な場合、一旦送信を保留して送信可能状態になったときに再送信するので、確実に未送信画像データを送信することができる。
【０００６】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係るデジタルカメラの外観図である。図１（ａ）はカメラ上面図、図１（ｂ）はカメラ正面図、図１（ｃ）はカメラ裏面図である。同じ構成要素には同じ参照番号が付されている。このデジタルカメラは、被写体を撮影するレリーズシャタＳＷ１と、各撮影モードを指示するモードダイアルＳＷ２と、フィルム枚数等を表示するサブＬＣＤ１と、メモリカード或いは電池を交換するときに開閉するカード／電池蓋２と、被写体を照射するストロボ発光部３と、被写体を覗いてカメラアングルを決定する光学ファインダ４と、被写体の距離を測定する測距ユニット５と、リモコンからの信号を受光するリモコン受光部６と、レンズ群を収納する鏡胴ユニット７と、オートフォーカスが動作中に点灯するＡＦＬＥＤ８と、ストロボが充電中に点灯するストロボＬＥＤ９と、撮影画像を表示するＬＣＤモニタ１０と、電池電源をＯＮ・ＯＦＦする電源ＳＷ１３と、ＺＯＯＭ・ＳＷ（ＷＩＤＥ）ＳＷ３と、ＺＯＯＭ・ＳＷ（ＴＥＬＥ）ＳＷ４と、セルフタイマ／削除ＳＷ・ＳＷ５と、ＭＥＮＵ・ＳＷ・ＳＷ６と、上／ストロボＳＷ・ＳＷ７と、右ＳＷ・ＳＷ８と、ＤＩＳＰＬＡＹ・ＳＷ・ＳＷ９と、下／マクロＳＷ・ＳＷ０１と、左／画像確認ＳＷ・ＳＷ１１と、ＯＫ・ＳＷ・ＳＷ１２とを備えて構成される。
【０００７】
図２は本発明の一実施形態に係るデジタルカメラのブロック図である。このデジタルカメラ１００は、被写体の光学画像を取り込むズームレンズ７−１ａ、ズーム駆動モータ７−１ｂからなるズーム光学系７−１、フォーカスレンズ７−２ａ、フォーカス駆動モータ７−２ｂからなるフォーカス光学系７−２、絞り７−３ａ、絞りモータ７−３ｂからなる絞りユニット７−３、メカシャッタ７−４ａ、メカシャッタモータ７−４ｂからなるメカシャッタユニット７−４、各モータを駆動するモータドライバ７−５を有する鏡胴ユニット７と、リモコン受光部６入力や操作部ＫｅｙユニットＳＷ１〜ＳＷ１３の操作入力に基づく、後述するデジタルスチルカメラプロセッサ１０４内にあるＣＰＵブロック１０４−３からの駆動指令により駆動制御されるモータドライバ７−５と、ＣＰＵブロック１０４−３にて解読可能なコードで記述された、制御プログラムや制御するためのパラメータが格納されているＲＯＭ１０８と、このデジタルカメラの電源がオン状態になると、前記プログラムは不図示のメインメモリにロードされ、そのプログラムに従って装置各部の動作を制御するＣＰＵブロック１０４−３と、制御に必要なデータ等を一時的に保存するＲＡＭ１０７、Ｌｏｃａｌ  ＳＲＡＭ１０４−４と、光学画像を光電変換するための固体撮像素子であるＣＣＤ１０１と、画像ノイズ除去用相関二重サンプリングを行うＣＤＳ１０２−１、利得調整を行うＡＧＣ１０２−２、デジタル信号変換を行うＡ／Ｄ１０２−３、ＣＣＤ１制御ブロック１０４−１より、垂直同期信号（以下、ＶＤと記す）、水平同期信号（以下、ＨＤと記す）を供給されるＦ／Ｅフロントエンド−ＩＣ１０２と、ＣＰＵブロック１０４−３によって制御されるＣＣＤ１０１、及びＦ／Ｅ−ＩＣ１０２の駆動タイミング信号を発生するＴＧ１０２−４と、ＣＣＤ１０１よりＦ／Ｅ―ＩＣ１０２の出力データにホワイトバランス設定やガンマ設定を行い、また前述したように、ＶＤ信号、ＨＤ信号を供給するＣＣＤ１制御ブロック１０４−１、フィルタリング処理により、輝度データ・色差データへの変換を行うＣＣＤ２制御ブロック１０４−２、前述した装置各部の動作を制御するＣＰＵブロック１０４−３、前述した制御に必要なデータ等を、一時的に保存するＬｏｃａｌ  ＳＲＡＭ１０４−４、パソコンなどの外部機器とＵＳＢ通信を行うＵＳＢブロック１０４−５、パソコンなどの外部機器とシリアル通信を行うシリアルブロック１０４−６、ＪＰＥＧ圧縮・伸張を行うＪＰＥＧ  ＣＯＤＥＣブロック１０４−７、画像データのサイズを補間処理により拡大／縮小するＲＥＳＩＺＥブロック１０４−８、画像データを液晶モニタやＴＶなどの外部表示機器に表示するためのビデオ信号に変換するＴＶ信号表示ブロック１０４−９、撮影された画像データを記録するメモリカードの制御を行うメモリカードブロック１０４−１０を有するデジタルスチルカメラプロセッサ１０４と、前述したデジタルスチルカメラプロセッサ１０４で画像データに各種処理を施す際に、画像データを一時的に保存するＳＤＲＡＭ１０３と、着脱可能なメモリカードまたは通信カード装着するためのスロットルであるカードスロットル１２１と、前述したカードスロットル１２１にメモリカードが装着されていない場合でも、撮影した画像データを記憶できるようにするためのメモリである内蔵メモリ１２０と、後述するＬＣＤモニタ１０に駆動するドライブ回路であり、ＴＶ信号表示ブロック１０４−９から出力されたビデオ信号を、ＬＣＤモニタ１０に表示するための信号に変換する機能も有しているＬＣＤドライバ１１７と、撮影前に被写体の状態を監視したり、撮影した画像を確認したり、メモリカードや前述した内蔵メモリ１２０に記録した画像データを表示するなどを行うためのモニタであるＬＣＤモニタ１０と、ＴＶ信号表示ブロック１０４−９から出力されたビデオ信号を、７５Ωインピーダンス変換するためのアンプであるビデオＡＭＰ１１８と、ＴＶなどの外部表示機器と接続するためのジャックであるビデオジャック１１９と、パソコンなどの外部機器とＵＳＢ接続を行う為のコネクタであるＵＳＢコネクタ１２２と、パソコンなどの外部機器とシリアル通信を行うために、前述したシリアルブロック１０４−６の出力信号を電圧変換するための回路であるシリアルドライバ回路１２３−１と、パソコンなどの外部機器とシリアル接続を行う為のコネクタであるＲＳ−２３２Ｃコネクタと、ＲＯＭ・ＲＡＭをワンチップに内臓したＣＰＵであり、操作ＫｅｙユニットＳＷ１〜１３やリモコン受光部６の出力信号をユーザの操作情報として、前述したＣＰＵブロック１０４−３に出力したり、前述したＣＰＵブロック１０４−３より出力されるカメラの状態を、後述するサブＬＣＤ１、ＡＦ  ＬＥＤ８、ストロボＬＥＤ９，ブザー１１３の制御信号に変換して出力するＳＵＢ−ＣＰＵ１０９と、例えば、撮影可能枚数など表示するための表示部であるサブＬＣＤ１と、前述したＳＵＢ−ＣＰＵ１０９の出力信号より、前述したサブＬＣＤ１を駆動するためのドライブ回路であるＬＣＤドライバ１１１と、撮影時の合焦状態を表示するためのＬＥＤであるＡＦ  ＬＥＤ８と、ストロボ充電状態を表すためのＬＥＤであるストロボＬＥＤ９と、ユーザーが操作するＫｅｙ回路である操作ＫｅｙユニットＳＷ１〜１３と、ユーザーが操作したリモコン送信機の信号の受信部であるリモコン受光部６と、ユーザーが音声信号を入力するマイク１１５−３、入力された音声信号を増幅するマイクＡＭＰ１１５−２、増幅された音声信号を記録する音声記録回路１１５―３からなる音声記録ユニット１１５と、記録された音声信号をスピーカーから出力できる信号に変換する音声再生回路１１６−１、変換された音声信号を増幅し、スピーカーを駆動するためのオーディオＡＭＰ１１６−２、音声信号を出力するスピーカー１１６−３からなる音声再生ユニット１１６とを備えて構成される。
【０００８】
図３は本発明におけるデジタルカメラ１００の動作を説明するフローチャートである。デジタルカメラ１００は、ユーザーが指定した複数枚の画像データの送信を設定すると、まず電池電圧を検出し（Ｓ１）、規定電圧以下であれば（Ｓ１でＹＥＳのルート）、不揮発性の内蔵メモリに画像データを記録後（Ｓ９）、ネットワークを切断して（Ｓ１０）送信できなかったことを表示装置に出力後、電源を切断する（Ｓ１１）。ステップＳ１で規定電圧を超えていた場合（Ｓ１でＮＯのルート）、ネットワークに接続されていなければ（Ｓ２でＮＯのルート）、無線ＬＡＮカードを介しネットッワークに接続し（Ｓ３）、ＦＴＰ（Ｆｉｌｅ  Ｔｒａｎｓｆｅｒ  Ｐｒｏｔｏｃｏｌ）を用い画像データを１枚ずつ、あらかじめユーザーがカメラに設定しておいた指定先のサーバーへ転送するが、１枚画像データを送信する前に、電池電圧が規定電圧であるかどうかを調べ（Ｓ４）、規定電圧以下であれば（Ｓ４でＹＥＳのルート）不揮発性の内蔵メモリに画像データを記録後（Ｓ９）、ネットワークを切断して（Ｓ１０）送信できなかったことを表示装置に出力後、電源を切断する（Ｓ１１）。電源切断時の画面表示の例を図５に示す。ステップＳ４で電池規定電圧を超えていれば（Ｓ４でＮＯのルート）、画像を送信する（Ｓ５）。また、画像送信中も電池電圧を監視しつづけ（Ｓ６）、規定電圧以下であれば（Ｓ６でＹＥＳのルート）送信動作を停止し、不揮発性の内蔵メモリに画像データを記録後（Ｓ９）、ネットワークを切断して（Ｓ１０）送信できなかったことを表示装置に出力後、電源を切断する（Ｓ１１）。そして、すべての画像を送信したら（Ｓ８でＹＥＳのルート）、すべての画像を送信したことを画面に表示する。
【０００９】
図４は本発明のデジタルカメラ１００に電源が投入された場合の動作を説明するフローチャートである。先ず記憶装置に未送信画像データがあるか否かをチエックし（Ｓ１１）、送信されなかった画像がある場合は（Ｓ１１でＹＥＳのルート）、電池電圧を検出し（Ｓ１２）、規定電圧以下であれば（Ｓ１２でＹＥＳのルート）、ネットワークを切断して（Ｓ２１）送信できなかったことを表示装置に出力後、電源を切断する（Ｓ２２）。ステップＳ１２で規定電圧を超えていた場合（Ｓ１２でＮＯのルート）、ネットワークに接続されていなければ（Ｓ１３でＮＯのルート）、無線ＬＡＮカードを介しネットッワークに接続し（Ｓ１４）、ＦＴＰ（Ｆｉｌｅ  Ｔｒａｎｓｆｅｒ  Ｐｒｏｔｏｃｏｌ）を用い画像データを１枚ずつ、あらかじめユーザーがカメラに設定しておいた指定先のサーバーへ転送するが、１枚画像データを送信する前に、電池電圧が規定電圧であるかどうかを調べ（Ｓ１５）、規定電圧以下であれば（Ｓ１５でＹＥＳのルート）、ネットワークを切断して（Ｓ２１）送信できなかったことを表示装置に出力後、電源を切断する（Ｓ２２）。ステップＳ１５で電池規定電圧を超えていれば（Ｓ１５でＮＯのルート）、画像を送信する（Ｓ１６）。また、画像送信中も電池電圧を監視しつづけ（Ｓ１７）、規定電圧以下であれば（Ｓ１７でＹＥＳのルート）送信動作を停止し、ネットワークを切断して（Ｓ２１）送信できなかったことを表示装置に出力後、電源を切断する（Ｓ２２）。そして、すべての画像を送信したら（Ｓ２０でＹＥＳのルート）、すべての画像を送信したことを画面に表示する。
上記例では、送信できなかった画像を、内蔵の不揮発メモリに画像データを記憶していたが、画像記録時に、内蔵の不揮発メモリに画像データを記憶するカメラの場合は、送信できなかった画像データのテーブルデータを不揮発メモリの決められたアドレスに保持しておき、電源が再度投入されたときに不揮発メモリの決められたアドレスのテーブルデータを参照して送信できなかった画像データを送信するようにしても構わない。
このように、電池電圧を調べながら電圧が規定以下であるときは画像を保持して電源ＯＦＦし、画像が保持されていたら再送信するようにすれば、電力消費によって電池電圧が低下しカメラが駆動できなくなった場合があっても、漏れがなくユーザーの指定した複数枚の画像データを送信することができる。
【００１０】
図５は本発明の電源切断時の画面表示の例を示す図である。電池電圧が所定の電圧値以下になって、送信を中断して未送信画像データを記憶装置に保存後、デジタルカメラ１００の電源を切断する際、ＬＣＤモニタ１０に図のようなメッセージを表示する。例えば、「電源を切断します」「全ての画像が送信できませんでした」「未送信画像が５枚あります」等のメッセージを操作者に知らせてから電源を切断するようにする。また、本画面では未送信画像の枚数を表示したが、送信済み枚数を併せて表示しても構わない。また電源を再投入したときにもう一度再送信する未送信画像データの枚数を表示するようにしても良い。
更に、電源を再投入して未送信画像データを送信しようとした時、何らかの原因で送信が不可能な場合、一旦、送信が可能になるまで送信を保留し、送信可能状態になったときに再度未送信画像データを送信するようにしてもよい。
【００１１】
【発明の効果】
以上記載のごとく請求項１の発明によれば、画像を送信中に電源の電池電圧が所定の値以下に低下した場合、未送信の画像データを記憶装置に保存して、電池を交換後、電源が再投入された際に、記憶装置に保存されている未送信画像データを送信するので、送信すべき画像データを取りこぼしなく全て送信することができる。
また請求項２では、未送信画像データを送信する場合に、データテーブルを参照して送信するので、確実に必要な画像データのみを効率良く送信することができる。
また請求項３では、電源を切断する前に表示手段により送信済みと未送信の画像データ枚数を表示するので、操作性を向上させると共に、利便性を高めることができる。
また請求項４では、電源を再投入したときにもう一度再送信する未送信画像データの枚数を表示するので、未送信画像データの有無を再確認することができる。
また請求項５では、未送信画像データが存在して、送信をしようとしたときに、送信手段が送信不可能な場合、一旦送信を保留して送信可能状態になったときに再送信するので、確実に未送信画像データを送信することができる。
【図面の簡単な説明】
【図１】本発明の一実施形態に係るデジタルカメラの外観図である。
【図２】本発明の一実施形態に係るデジタルカメラのブロック図である。
【図３】本発明のデジタルカメラ１００の動作を説明するフローチャートである。
【図４】本発明のデジタルカメラ１００に電源が投入された場合の動作を説明するフローチャートである。
【図５】本発明の電源切断時の画面表示の例を示す図である。
【符号の説明】
７  鏡胴ユニット、６  リモコン受光部、ＳＷ１〜ＳＷ１３  操作部Ｋｅｙユニット、１０４  デジタルスチルカメラプロセッサ、１０２  Ｆ／Ｅフロントエンド−ＩＣ、１０１  ＣＣＤ、１０２−１  ＣＤＳ、１０２−２  ＡＧＣ、１０４−４  Ｌｏｃａｌ  ＳＲＡＭ、１０４−５  ＵＳＢブロック、１０４−７  ＪＰＥＧ  ＣＯＤＥＣブロック、１０３  ＳＤＲＡＭ、１２１  カードスロットル、１２０  内蔵メモリ、１１７  ＬＣＤドライバ、１０  ＬＣＤモニタ
【図１】
2005020452.tif 000003
【図２】
2005020452.tif 000004
【図３】
2005020452.tif 000005
【図４】
2005020452.tif 000006
【図５】
2005020452.tif 000007